(57)【要約】      （修正有）【課題】長時間装着型減圧補助具を提供する。【解決手段】マスクに装着される、一側に至少なくとも一の切れ目１１を有する二つの本体部１０、を備えるマスク耳掛け用アクセサリーであって、前記マスクは一つの覆面部、及び二つの耳掛けロープを有しており、前記各耳掛けロープはそれぞれ、前記覆面部の両側に設けられており、前記各本体部１０の切れ目１１はそれぞれ、前記各耳掛けロープに係合することができる、ことを特徴とする。【選択図】図１
0003211334.tif 000002
【実用新案登録請求の範囲】
【請求項１】
マスクの耳掛けに装着され、長時間使用しても使用者の耳に痛さを寄与せず、本体部を備えるマスク耳掛け用アクセサリーであって、
前記マスクは一つの覆面部、及び前記覆面部の両側にそれぞれ設ける二つの耳掛けを有しており、
前記本体部の一側には、長手方向に伸びる切れ目を少なくとも一つ有しており、及び
前記切れ目により、前記本体部を前記耳掛けに係合するように取り付ける
ことを特徴とする長時間装着型減圧補助具。
【請求項２】
前記本体部の内部には、前記切れ目に連通する収容空間をさらに有しており、
前記収容空間に、前記耳掛けの全体又は一部を収容する
ことを特徴とする請求項１に記載の長時間装着型減圧補助具。
【請求項３】
前記本体部は弾性品である
ことを特徴とする請求項２に記載の長時間装着型減圧補助具。
【請求項４】
前記本体部の幅は、前記耳掛けの径より大きい
ことを特徴とする請求項３に記載の長時間装着型減圧補助具。
【請求項５】
前記本体部は、筒状又はティアドロップ形状である
ことを特徴とする請求項４に記載の長時間装着型減圧補助具。
【請求項６】
一つの覆面部と、
前記覆面部の両側にそれぞれ設ける二つの耳掛けと、
前記耳掛けに取り付けられる、請求項1乃至５のいずれか1に記載の長時間装着型減圧補助具と、を備えるマスクにおいて、
前記長時間装着型減圧補助具は、長手方向に伸びる切れ目を少なくとも一つ有する本体部を備えており、
前記本体部の内部には、前記切れ目に連通すると共に、前記耳掛けの全体又は一部を収容できる収容空間をさらに有しており、前記本体部は、外観全体のプロファイルが、筒状又はティアドロップ形状である
ことを特徴とするマスク。
【考案の詳細な説明】
【技術分野】
【０００１】
本考案はマスクに取付けられるアクセサリー、及びそれを含むマスクに関し、特にマスク耳掛けの紐に取付けられる長時間装着型減圧補助具、及びそれを含むマスクに関する。
【背景技術】
【０００２】
マスクは、一般に使用者の口および鼻を覆うことで、細菌の感染や転移・散布を回避すると共に、人間の呼吸システムを防護するものを指す。
【０００３】
目的や用途により分類すれば、防塵マスク、サージカルマスク（surgical mask）、フェイスマスク（face mask）のようなものがある。
【０００４】
また、マスクは、常に、医療衛生や安全防護を目的として、様々の用途に広く汎用される。例えば、風邪などの病気を引いた場合、医療行為の実施又はオートバイクの使用の場合の他に、クリーンルーム、建設工事、病院などの現場に入る際に、マスクを使用者に装着することが数多いである。
【０００５】
一方、従来は、場合や用途に応じて選択した素材で作製されたマスクが市販されているが、一旦、そのような従来のマスクを長時間に使用されると、マスクには素材の差があることにも関わらず、いずれも、耳が痛くなってしまう問題が共通である。
【考案の概要】
【考案が解決しようとする課題】
【０００６】
すなわち、従来のマスクでは、呼吸システムをある程度保護することが可能であるが、そのマスクにおいて耳に掛ける耳掛け部が常に使用者の耳に圧力を付けることにより、不快感を発生しやすくなり、知覚が鋭い人は脳圧を高めやすくなり、ひいては混乱やめまいを生成したり、事故を引き起したりする場合も数多くある。このため、従来のマスクをさらに改善することが必要である。
【０００７】
従来のマスクにはそのような問題があることに鑑って、本考案者は、関連製品に対し長年に従事してきた製造開発や設計経験に基づき、前記従来のマスクの問題点を解決する様々の方策について、詳しく鋭意検討すると共に慎重に評価した結果、マスク耳掛けの紐に取付けられる長時間装着型減圧補助具が得られることを見出し、終に、実用性を確かに備える本考案を完成させるに至った。
【課題を解決するための手段】
【０００８】
本考案は、上記従来の問題を解決できる長時間装着型減圧補助具を提供することを目的とする。
【０００９】
つまり、本考案は、少なくとも一つの本体部を備えるマスク耳掛け用アクセサリーであって，前記本体部の一側には、少なくとも一つの切れ目を有しており、前記のマスクは、一つの覆面部、及び前記覆面部の両側に設けられる二つの耳掛けを備えており、前記本体部の切れ目は前記耳掛けを係合するように装着することを特徴とする長時間装着型減圧補助具を提供する。
【００１０】
また、本考案の一実施形態に係る長時間装着型減圧補助具は、従来より市販されている型式、タイプ、種類、及びブレンドのマスクから選択された全てのマスクのいずれには、任意に装着することができる。
【考案の効果】
【００１１】
従って、本考案の一実施形態に係る長時間装着型減圧補助具の本体部を耳に長時間に接触するとしても、使用者の耳に痛さを寄与することがないため、本考案によれば、使用者の圧力を低減すると共に快適性を高める効果を実現することが可能になる。
【図面の簡単な説明】
【００１２】
【図１】本考案の一実施形態に係る本体部の外観のプロファイルを示す立体断面図である。
【図２】本考案の一実施形態に係る本体部とマスクを係合したプロファイルを示す立体断面図である。
【図３】本考案の他の一実施形態に係る本体部とマスクを係合したプロファイルを示す立体断面図である。
【考案を実施するための形態】
【００１３】
本考案の技術内容や考案効果を一層理解できるため、以下、本考案を実施する形態について、実施例を若干挙げて、図面を参照しながら、詳細に説明する。
【００１４】
図１及び図２を参照する。本考案長の一実施形態に係る長時間装着型減圧補助具１には、二つの本体部１０、及び一つのマスク２０を備えている。以下、前記各部材をそれぞれ説明する。
【００１５】
図１を参照する。本体部１０は、図１の示すように、一つの切れ目１１、及び、前記切れ目１１に連通する収容空間１２を具有している。この実施例において、前記各本体部１０はそれぞれ、筒状とすると共に、所定の厚さを有する弾性品である。
【００１６】
図１及び図２を参照する。マスク２０は、図１及び図２の示すように、一つの覆面部２１、及び、二つの耳掛け２２を具有している。前記各耳掛けロープ２２はそれぞれ、前記覆面部２１の両側に設けられており；前記各耳掛け２２はそれぞれ、前記各本体部１０の切れ目１１を通過して収容空間に収容されている。
【００１７】
前記各本体部１０の幅は、いずれも、前記各耳掛け２２の径より大きいである。また、前記各本体部１０は柔軟性や弾性を持つものである。このため、マスク２０を使用者に装着する場合には、耳掛け２２が使用者の両耳に掛けられ、各本体部１０がそれぞれ耳に接触するため、使用者への圧力を低減することができると共に、快適性を高める機能を発揮することができる。
【００１８】
図３を参照する。図３は本考案の他の実施例に係る長時間装着型減圧補助具を示す図である。ここでは、この実施例に例示した長時間装着型減圧補助具において、前記実施例での素子と同一である素子に対し、その説明をそれぞれ省略する。図３の示すように、各本体部１０の外観は、ティアドロップのような形状を呈する。これにより、前記本体部１０を設けたマスク２０は、使用者の耳のプロファイルに相応しくするように掛けられることが可能になる。
【００１９】
以上のように、本考案に係る好ましい実施例を具体的に説明したが、本考案の権利範囲はその実施例により制限されない。
当該技術を熟知する当業者にとっては、本考案の趣旨を逸脱しない範囲で、本考案に対し変更を行うことができることを理解すべきである。更に、これらの変更のいずれかは、全て本考案の以下の権利主張範囲内に含まれるべきである。
【符号の説明】
【００２０】
１          長時間装着型減圧補助具
１０        本体部
１１        切れ目
１２        収容空間
２０        マスク
２１        覆面部
２２        耳掛け
【図１】
0003211334.tif 000003
【図２】
0003211334.tif 000004
【図３】
0003211334.tif 000005